(57)【要約】【課題】ＩＰネットワークのトラヒック最低限とし、ネットワークの伝送遅延の増大、スループットの低下を発生させないことを目的とする。【解決手段】ＢＴＳ２０から複数の情報を合成した複数の合成情報を受信する回線ＰＨＹ部３２６と、上記回線ＰＨＹ部３２６により受信された上記複数の合成情報を上記複数の情報に分解する分割フレーム分解部３２９と、上記分割フレーム分解部３２９により分解された各上記複数の情報を集合した集合情報の内に、重複する情報が存在する場合に、上記集合情報から上記重複する情報を排除した複数の情報を合成する無線フレーム結合部３２２とを備えたことを特徴とする。【選択図】　　　　図１
2004040434.tif 000002
【特許請求の範囲】
【請求項１】
外部装置から複数の情報を合成した複数の合成情報を受信する受信部と、
上記受信部により受信された上記複数の合成情報を上記複数の情報に分解する分解部と、
上記分解部により分解された各上記複数の情報を集合した集合情報の内に、重複する情報が存在する場合に、上記集合情報から上記重複する情報を排除した複数の情報を合成する合成部と
を備えたことを特徴とする通信装置。
【請求項２】
上記複数の情報は、移動体通信装置から送信された無線分割フレーム情報であり、
複数の外部装置は、上記移動体通信装置から送信された無線分割フレーム情報を受信し、受信した無線分割フレーム情報を合成した上記１つの合成情報を送信する移動体通信装置基地局であることを特徴とする請求項１記載の通信装置。
【請求項３】
上記受信部は、不連続な複数の情報を合成した合成情報を受信し、
上記分解部は、上記受信部により受信された不連続な複数の情報を合成した上記合成情報を上記不連続な複数の情報に分解し、
上記合成部は、上記分解部により分解された不連続な複数の情報に基づいて、連続する複数の情報を合成することを特徴とする請求項１記載の通信装置。
【請求項４】
移動体通信装置から送信された複数の無線分割フレーム情報を受信する受信部と、
上記受信部により受信された複数の無線分割フレーム情報を合成した１つの合成情報を送信する送信部と
を備えたことを特徴とする移動体通信装置基地局。
【請求項５】
フレーム情報を複数の無線分割フレーム情報に分割して送信する移動体通信装置と、
上記移動体通信装置から送信された複数の無線分割フレーム情報を受信する受信部と、上記受信部により受信された複数の無線分割フレーム情報を合成した１つの合成情報を送信する送信部とを有する複数の移動体通信装置基地局と、
複数の移動体通信装置基地局から複数の無線分割フレーム情報を合成した複数の合成情報を受信する受信部と、
上記受信部により受信された上記複数の合成情報を上記複数の無線分割フレーム情報に分解する分解部と、
上記分解部により分解された各上記複数の無線分割フレーム情報を集合した集合情報の内、重複する情報が存在する場合に、上記集合情報から上記重複する無線分割フレーム情報を排除した複数の無線分割フレーム情報を合成する合成部とを備えたことを特徴とする通信システム。
【請求項６】
外部装置から複数の情報を合成した複数の合成情報を受信する受信工程と、
上記受信工程により受信された上記複数の合成情報を上記複数の情報に分解する分解工程と、
上記分解工程により分解された各上記複数の情報を集合した集合情報の内、重複する情報が存在する場合に、上記集合情報から上記重複する情報を排除した複数の情報を合成する合成工程と
を備えたことを特徴とする通信方法。
【発明の詳細な説明】
【０００１】
【発明の属する技術分野】
本発明は、移動機、基地局、ネットワーク装置から構成される移動体通信において、移動中の移動機が複数の基地局と通信の切替動作を行うハンドオーバ方式に関するものである。
【０００２】
【従来の技術】
図５は、従来のハンドーバ方式を示す図である。
例えば「３ＧＰＰ　ＴＲ２５．８３２」に記載された技術である。
図５において、１００は、フレーム送信元となる移動体通信装置（ＭＳ：Ｍｏｂｉｌｅ　Ｓｔａｔｉｏｎ）、１０１は、移動機からの無線信号を受信し、有線信号に変換し、ネットワーク側の装置に伝送する移動体通信装置基地局（ＢＴＳ：Ｂａｓｅ　Ｔｒａｎｓｃｅｉｖｅｒ　Ｓｔａｔｉｏｎ）、１０２は、複数のＢＴＳ１０１からの信号を受信し最良の信号を選択、合成し上位ネットワークに信号を送出するネットワーク側装置であるＲＮＣ／ＣＮ（Ｒａｄｉｏ　Ｎｅｔｗｏｒｋ　Ｃｏｎｔｒｏｌｌｅｒ／Ｃｏｒｅ　Ｎｅｔｗｏｒｋ：無線ネットワーク制御装置／コアネットワーク）、１０３は、ＲＮＣ／ＣＮ１０２内で最良の信号を選択、合成する選択合成部である。
【０００３】
図６は、従来のハンドオーバ方式における信号の変換を示す図である。
例えば、「３ＧＰＰ　ＴＲ２５．３０１、ＴＳ２５．４０１」に記載された技術である。
図６において、１１０は、ＭＳ１００が送信しようとする長いＩＰ（ＩＮＴＥＲＮＥＴ　ＰＲＯＴＯＣＯＬ）フレーム信号、１１１は、ＭＳ１００が送信する無線分割フレーム信号、１１２は、各ＢＴＳ１０１が受信した無線分割フレーム信号、１１３は、ＢＴＳ１０１がネットワーク側の装置へ送出するセル信号、１１８は、ＲＮＣ（Ｒａｄｉｏ　Ｎｅｔｗｏｒｋ　Ｃｏｎｔｒｏｌｌｅｒ：無線ネットワーク制御装置）が選択した無線分割フレーム信号、１１９は、ＲＮＣが合成したＩＰフレーム信号である。
【０００４】
図７は、従来の装置構成を示す図である。
図７における装置は、上記方式を実現する。
図７において、１２０は、ＩＰフレームの送受信処理を行うフレーム処理部、１２１は、ＩＰフレームを無線伝送に適した無線フレームに分割する無線フレーム分割部、１２２は、無線フレームをＩＰフレームに結合する無線フレーム結合部、１２３は、無線の物理処理を行う無線ＰＨＹ（Ｐｈｙｓｉｃａｌ）部、１２４は、無線フレームをＡＴＭ（Ａｓｙｎｃｈｒｏｎｏｕｓ　Ｔｒａｎｓｆｅｒ　Ｍｏｄｅ）伝送路に転送する為のセル化部、１２５は、ＡＴＭ伝送路からのセル信号から無線フレームを生成するデセル化部、１２６は、ＡＴＭ伝送路の物理処理を行う回線ＰＨＹ部、１２７は、複数の基地局からの信号から最良の信号を選択する無線フレーム選択・コピー部である。
【０００５】
次に動作について説明する。ＭＳ１００で送信しようとするＩＰフレーム信号１１０は、無線伝送に適した短めの無線分割フレーム信号１１１に分割される。
ＭＳ１００は、この無線分割フレーム信号１１１を無線ＰＨＹ部１２３で無線信号に変換し送出する。
【０００６】
ＢＴＳ１０１ではＭＳ１００からの無線信号を受信するが、ＭＳ１００が高速移動していた場合、全フレームを受信できる前に圏外となる場合も出てくる。ここでは、図６に示すように３つのＢＴＳ１０１で部分的な無線分割フレーム信号１１２を受信したことを想定する。ＢＴＳ１０１では各無線分割フレーム信号１１２をセル化し、回線ＰＨＹ部１２６を介し有線伝送路へ送出する。
【０００７】
ネットワーク側装置１０２では３つのＢＴＳ１０１からそれぞれセル信号１１３を受信し、無線分割フレーム信号１１２を復元する。その無線分割フレーム信号１１２群から最良のものを選択し、元のＩＰフレーム信号１１９を合成する。
【０００８】
【発明が解決しようとする課題】
従来のハンドオーバ方式をＩＰネットワークに適用すると、無線フレーム毎のＩＰフレームが生成され、ＩＰトラヒックが過大となり、ＩＰネットワークの負荷が上がってしまう。これにより、ＩＰネットワークの伝送遅延の増大、スループットの低下が発生する。また、再送が発生すると更なるスループットの低下が予想される。
【０００９】
この発明は、ＩＰネットワークのトラヒック最低限とし、ネットワークの伝送遅延の増大、スループットの低下を発生させないことを目的とする。
【００１０】
【課題を解決するための手段】
本発明の通信装置は、外部装置から複数の情報を合成した複数の合成情報を受信する受信部と、
上記受信部により受信された上記複数の合成情報を上記複数の情報に分解する分解部と、
上記分解部により分解された各上記複数の情報を集合した集合情報の内に、重複する情報が存在する場合に、上記集合情報から上記重複する情報を排除した複数の情報を合成する合成部と
を備えたことを特徴とする。
【００１１】
また、上記複数の情報は、移動体通信装置から送信された無線分割フレーム情報であり、
複数の外部装置は、上記移動体通信装置から送信された無線分割フレーム情報を受信し、受信した無線分割フレーム情報を合成した上記１つの合成情報を送信する移動体通信装置基地局であることを特徴とする。
【００１２】
また、上記受信部は、不連続な複数の情報を合成した合成情報を受信し、
上記分解部は、上記受信部により受信された不連続な複数の情報を合成した上記合成情報を上記不連続な複数の情報に分解し、
上記合成部は、上記分解部により分解された不連続な複数の情報に基づいて、連続する複数の情報を合成することを特徴とする。
【００１３】
本発明の移動体通信装置基地局は、
移動体通信装置から送信された複数の無線分割フレーム情報を受信する受信部と、
上記受信部により受信された複数の無線分割フレーム情報を合成した１つの合成情報を送信する送信部と
を備えたことを特徴とする。
【００１４】
本発明の通信システムは、
フレーム情報を複数の無線分割フレーム情報に分割して送信する移動体通信装置と、
上記移動体通信装置から送信された複数の無線分割フレーム情報を受信する受信部と、上記受信部により受信された複数の無線分割フレーム情報を合成した１つの合成情報を送信する送信部とを有する複数の移動体通信装置基地局と、
複数の移動体通信装置基地局から複数の無線分割フレーム情報を合成した複数の合成情報を受信する受信部と、
上記受信部により受信された上記複数の合成情報を上記複数の無線分割フレーム情報に分解する分解部と、
上記分解部により分解された各上記複数の無線分割フレーム情報を集合した集合情報の内、重複する情報が存在する場合に、上記集合情報から上記重複する無線分割フレーム情報を排除した複数の無線分割フレーム情報を合成する合成部とを備えたことを特徴とする。
【００１５】
本発明の通信方法は、
外部装置から複数の情報を合成した複数の合成情報を受信する受信工程と、
上記受信工程により受信された上記複数の合成情報を上記複数の情報に分解する分解工程と、
上記分解工程により分解された各上記複数の情報を集合した集合情報の内、重複する情報が存在する場合に、上記集合情報から上記重複する情報を排除した複数の情報を合成する合成工程と
を備えたことを特徴とする。
【００１６】
【発明の実施の形態】
実施の形態１．
図１は、実施の形態１における構成を示す図である。
図１において、１０は、移動体通信装置（ＭＳ）、２０は、移動体通信装置基地局（ＢＴＳ）、３０は、通信装置の一例であるＲＮＣ（Ｒａｄｉｏ　Ｎｅｔｗｏｒｋ　Ｃｏｎｔｒｏｌｌｅｒ：無線ネットワーク制御装置）、１２０は、フレーム処理部、１２１は、無線フレーム分割部、１２２は、無線フレーム結合部、１２３は、無線ＰＨＹ部、２２３は、無線ＰＨＹ部（移動体通信装置基地局における受信部の一例である。）、２２６は、回線ＰＨＹ部（移動体通信装置基地局における送信部の一例である。）、２２８は、分割フレーム合成部（移動体通信装置基地局における合成部の一例である。）、２３１は、フレーム分解部、３２０は、フレーム処理部、３２１は、無線フレーム分割部、３２２は、無線フレーム結合部（通信装置にける合成部の一例である。）、３２６は、回線ＰＨＹ部（通信装置にける受信部の一例である。）、３２７は、無線フレーム選択・コピー部、３２９は、分割フレーム分解部（通信装置にける分解部の一例である。）、３３０は、フレーム合成部である。
ＭＳ１０は、フレーム処理部１２０、無線フレーム分割部１２１、無線フレーム結合部１２２、無線ＰＨＹ部１２３を備えている。
ＢＴＳ２０は、無線ＰＨＹ部２２３、回線ＰＨＹ部２２６、分割フレーム合成部２２８、フレーム分解部２３１を備えている。
ＲＮＣ３０は、フレーム処理部３２０、無線フレーム分割部３２１、無線フレーム結合部３２２、回線ＰＨＹ部３２６、無線フレーム選択・コピー部３２７、分割フレーム分解部３２９、フレーム合成部３３０を備えている。
【００１７】
図２は、実施の形態１における信号の流れを示す図である。
図２において、１１０は、ＩＰフレーム信号、１１１は、無線分割フレーム信号、１１２は、無線分割フレーム信号（複数の情報の一例である。）、１１４は、結合フレーム信号（合成情報の一例である。）、１１８は、無線分割フレーム信号（集合情報の一例である。）、１１９は、ＩＰフレーム信号である。
ＩＰフレーム信号１１０は、ＭＳ１０が送信しようとする長いフレーム信号である。無線分割フレーム信号１１１は、ＭＳ１０が送信する信号である。無線分割フレーム信号１１２は、各ＢＴＳ２０が受信した信号である。結合フレーム信号１１４はＢＴＳ２０がネットワーク側のＲＮＣ３０へ送出する信号である。無線分割フレーム信号１１８は、ＲＮＣ３０が選択した信号である。ＩＰフレーム信号１１９は、ＲＮＣ３０が合成したフレーム信号である。
【００１８】
フレーム処理部１２０は、ＩＰフレーム信号１１０の送受信処理を行う。無線フレーム分割部１２１は、ＩＰフレーム信号１１０を無線伝送に適した無線分割フレーム信号１１１に分割する。無線フレーム結合部１２２は、無線分割フレーム信号１１１をＩＰフレーム信号に結合する。無線ＰＨＹ部１２３は、ＢＴＳ２０との無線の物理処理を行う。
無線ＰＨＹ部２２３は、ＭＳ１０との無線の物理処理を行う。回線ＰＨＹ部２２６は、ＲＮＣ３０との回線の物理処理を行う。分割フレーム合成部２２８は、ＢＴＳ２０で受信した無線分割フレーム信号１１２を結合し、結合フレーム信号１１４を生成する。フレーム分解部２３１は、結合フレーム信号１１４を無線分割フレーム信号１１２に分解する。
回線ＰＨＹ部３２６は、ＢＴＳ２０とのＩＰ伝送路である回線の物理処理を行う。分割フレーム分解部３２９は、ＢＴＳ２０から受信した結合フレーム信号１１４を複数の無線分割フレーム信号１１８の集合情報に分解する。無線フレーム選択・コピー部３２７は、複数のＢＴＳ２０からの信号から最良の信号を選択する。無線フレーム結合部３２２は、無線フレーム選択・コピー部３２７により選択された複数の無線分割フレーム信号１１８をＩＰフレーム信号１１９に結合する。フレーム処理部３２０は、ＩＰフレーム信号１１９の送受信処理を行う。無線フレーム分割部３２１は、ＩＰ伝送路からのＩＰフレーム信号１１９を複数の無線分割フレーム信号１１８の集合情報に分解し、複数の無線分割フレーム信号１１８を生成する。フレーム合成部３３０は、無線分割フレーム信号１１８を結合し、結合フレーム信号１１４を生成する。
【００１９】
次に動作について説明する。ＭＳ１０で送信しようとするＩＰフレーム信号１１０は、無線伝送に適した短めの無線分割フレーム信号１１１に分割される。ＭＳ１０は、この無線分割フレーム信号１１１を無線ＰＨＹ部１２３で無線信号に変換し送出する。
【００２０】
ＢＴＳ２０では、ＭＳ１０からの無線信号を受信するが、ＭＳ１０が高速移動していた場合、全フレームを受信できる前に圏外となる場合も出てくる。ここでは図２に示すように３つのＢＴＳ２０で部分的な無線分割フレーム信号１１２を受信したことを想定する。ＢＴＳ２０では、受信できた無線分割フレーム信号１１２を結合して結合フレーム信号１１４を生成し、回線ＰＨＹ部２２６を介し有線伝送路へ送出する。
【００２１】
ネットワーク側装置であるＲＮＣ３０では、３つのＢＴＳ２０からそれぞれ結合フレーム信号１１４を受信する。ＲＮＣ３０では結合フレーム信号１１４より複数の無線分割フレーム信号１１２を再生し、その無線分割フレーム信号１１２群から最良のものを選択し、元のＩＰフレーム信号１１９を合成する。
【００２２】
以上のように、実施の形態１におけるハンドオーバ方式は、ＩＰパケット等の長いフレームを扱う移動体通信において、移動機が長いフレームを複数の無線単位フレームに分割して送信するする時、基地局にて正常に受信できた分だけの無線フレーム単位をまとめてフレームを構成しネットワーク側の装置に送出し、ネットワーク側の装置では複数の基地局からのフレームを無線フレーム単位に分割し、無線フレーム単位に選択、合成を行い、元のフレームを再現することを特徴とする。
【００２３】
また、実施の形態１におけるハンドオーバ方式は、基地局で受信できた無線フレーム信号のみを結合してフレーム化しＩＰネットワークで伝送し、ネットワーク側の装置で再度無線フレームに分解し、複数の基地局からの信号で最良のものを選択、合成することにより元のフレームを再生するものである。
【００２４】
実施の形態２．
実施の形態２における各構成は、図１と同様である。
図３は、実施の形態２における信号の流れを示す図である。
図３において、１１０は、ＩＰフレーム信号、１１１は、無線分割フレーム信号、１１２は、無線分割フレーム信号（複数の情報の一例である。）、１１４は、結合フレーム信号（合成情報の一例である。）、１１８は、無線分割フレーム信号（集合情報の一例である。）、１１９は、ＩＰフレーム信号である。
ＩＰフレーム信号１１０は、ＭＳ１０が送信しようとする長いフレーム信号である。無線分割フレーム信号１１１は、ＭＳ１０が送信する信号である。無線分割フレーム信号１１２は、各ＢＴＳ２０が受信した不連続な信号である。結合フレーム信号１１４は、不連続な無線分割フレーム信号１１２を結合したＢＴＳ２０がネットワーク側のＲＮＣ３０へ送出する信号である。無線分割フレーム信号１１８は、ＲＮＣ３０が選択した信号である。ＩＰフレーム信号１１９は、ＲＮＣ３０が合成したフレーム信号である。
上記実施の形態１に加えて、実施の形態２では、ＢＴＳ２０で受信できた無線分割フレーム信号１１２が連続でなかった場合でも結合フレーム信号１１４を生成、分解できるように構成したものである。ＢＴＳ２０の送信する結合フレーム信号１１４中に無線分割フレーム信号１１２を特定できる情報を付加する。ネットワーク側装置であるＲＮＣ３０では結合フレーム信号１１４から無線分割フレーム信号１１８への分解時に無線分割フレーム信号１１２を特定できる情報を検出し、各ＢＴＳ２０からの無線分割フレーム信号１１２を特定情報毎に選択し、元のフレーム信号であるＩＰフレーム信号１１９を合成する。
【００２５】
図４は、特定情報を付加した結合フレーム信号の例を示す図である。
図４では、ＢＴＳ１の送信する結合フレーム信号１１４における特定情報を示している。図４において、結合フレーム信号１１４は、フレームヘッダ、フレーム長情報、多重数、シーケンスＮｏ．１、データ１、シーケンスＮｏ．２、データ２、シーケンスＮｏ．３、データ３、シーケンスＮｏ．５、データ５と続く信号により構成されている。
結合フレーム信号１１４からフレーム長情報と多重数情報に従い、無線分割フレーム信号を切り出すことができる。また、図示していないが、無線分割フレーム信号は、特定情報を有している。無線分割フレーム信号の特定情報は、ＭＳ１０から送出されるＩＰフレーム信号１１０毎のシーケンス番号、十分大きな値で巡回するシーケンス番号、ＭＳ１０、ＢＴＳ２０の持つ基準タイミング値を有しているが、これに限るものではない。切り出された無線分割フレーム信号には上記シーケンス番号が付いており、これにより無線分割フレーム信号を特定する。
【００２６】
以上のように、実施の形態２におけるハンドオーバ方式は、基地局で受信した信号に、分割単位に分割番号を付与することにより、受信した無線フレーム単位に連続性が無くてもフレームを構成しネットワーク側の装置に送出し、ネットワーク側の装置では複数の基地局からのフレームを分割番号を元に選択、合成を行い、元のフレームを再現することを特徴とする。
【００２７】
以上のように、実施の形態２におけるＲＮＣ３０が備える上記回線ＰＨＹ部３２６は、不連続な複数の情報を合成した合成情報である結合フレーム信号１１４を受信し、
上記分割フレーム分解部３２９は、上記回線ＰＨＹ部３２６により受信された不連続な複数の情報を合成した上記合成情報結合フレーム信号１１４を上記不連続な複数の情報である無線分割フレーム信号に分解し、
上記無線フレーム結合部３２２は、上記分割フレーム分解部３２９により分解された不連続な複数の情報である無線分割フレーム信号に基づいて、連続する複数の情報である無線分割フレーム信号１１８を合成することを特徴とする。
【００２８】
以上のように、上記各実施の形態におけるハンドオーバ方式は、基地局で受信できた無線フレーム信号のみを結合してフレーム化しＩＰネットワークで伝送し、ネットワーク側の装置で再度無線フレームに分解し、複数の基地局からの信号で最良のものを選択、合成することにより元のフレームを再生するように構成する。
【００２９】
以上の説明においては、ＭＳ１０からＢＴＳ２０、ＲＮＣ３０へと情報を伝送する動作を説明したが、ＲＮＣ３０からＢＴＳ２０、ＭＳ１０へと情報を伝送することもできる。
フレーム処理部３２０は、ＩＰフレーム信号１１９の送信処理を行う。無線フレーム分割部３２１は、フレーム処理部３２０により送信されたＩＰ伝送路からのＩＰフレーム信号１１９を複数の無線分割フレーム信号１１８の集合情報に分解し、複数の無線分割フレーム信号１１８を生成する。フレーム合成部３３０は、分解された複数の無線分割フレーム信号１１８を結合し、結合フレーム信号１１４を生成する。回線ＰＨＹ部３２６は、ＢＴＳ２０へ結合フレーム信号１１４を送信する。
回線ＰＨＹ部２２６は、ＲＮＣ３０から回線により結合フレーム信号１１４を受信する。フレーム分解部２３１は、回線ＰＨＹ部２２６により受信された結合フレーム信号１１４を無線分割フレーム信号１１２に分解する。無線ＰＨＹ部２２３は、ＭＳ１０へ無線により無線分割フレーム信号１１２を伝送する。
無線ＰＨＹ部１２３は、ＢＴＳ２０から無線により無線分割フレーム信号１１２を受信する。無線フレーム結合部１２２は、受信された無線分割フレーム信号１１１をＩＰフレーム信号に結合する。フレーム処理部１２０は、ＩＰフレーム信号１１０の受信処理を行う。
【００３０】
以上のように、上記各実施の形態におけるハンドオーバ方式は、移動機が長いフレームを複数の無線フレームに分割して送信するする時、基地局にて正常に受信できた分だけの無線フレームををまとめてフレームを構成しネットワーク側の装置に送出し、ネットワーク側の装置では複数の基地局からのフレームを無線単位に分割し、無線フレーム単位に選択、合成を行い、元のフレームを再現することを特徴とするハンドオーバ方式である。すなわち、基地局で受信できた無線フレーム信号のみを結合してフレーム化し、ネットワーク側の装置で再度無線フレームに分解し、複数の基地局からの信号で最良のものを選択、合成することにより元のフレームを再生することで解決する。これにより、無線フレーム毎のＩＰフレームが生成されると、ＩＰトラヒックが過大となり、ＩＰネットワークの負荷が上がってしまい、伝送遅延の増大、スループットの低下が発生するといった問題を防止することができる。
【００３１】
【発明の効果】
本発明によれば、ＩＰネットワークのトラヒック最低限とし、ネットワークの伝送遅延の増大、スループットの低下を発生させないようにすることができる。
【００３２】
本発明によれば、無線分割フレームをネットワークの伝送遅延を抑えながら伝送することができる。
【００３３】
本発明によれば、不連続な情報であってもネットワークの伝送遅延を抑えながら伝送することができる。
【００３４】
本発明によれば、無線情報を効率よく送受信することができる。
【００３５】
本発明によれば、ＩＰネットワークのトラヒック最低限とし、ネットワークの伝送遅延の増大、スループットの低下を発生させないようにするシステムを提供することができる。
【図面の簡単な説明】
【図１】実施の形態１における構成を示す図である。
【図２】実施の形態１における信号の流れを示す図である。
【図３】実施の形態２における信号の流れを示す図である。
【図４】特定情報を付加した結合フレーム信号の例を示す図である。
【図５】従来のハンドーバ方式を示す図である。
【図６】従来のハンドオーバ方式における信号の変換を示す図である。
【図７】従来の装置構成を示す図である。
【符号の説明】
１０　ＭＳ、２０　ＢＴＳ、３０　ＲＮＣ、１００　ＭＳ、１０１　ＢＴＳ、１０２　ＲＮＣ／ＣＮ、１０３　選択合成部、１１０　ＩＰフレーム信号、１１１　無線分割フレーム信号、１１２　無線分割フレーム信号、１１３　セル信号、１１４　結合フレーム信号、１１８　無線分割フレーム信号、１１９　ＩＰフレーム信号、１２０　フレーム処理部、１２１　無線フレーム分割部、１２２　無線フレーム結合部、１２３　無線ＰＨＹ部、１２４　セル化部、１２５　デセル化部、１２６　回線ＰＨＹ部、１２７　無線フレーム選択・コピー部、２２３無線ＰＨＹ部、２２６　回線ＰＨＹ部、２２８　分割フレーム合成部、２３１フレーム分解部、３２０　フレーム処理部、３２１　無線フレーム分割部、３２２　無線フレーム結合部、３２６　回線ＰＨＹ部、３２７　無線フレーム選択・コピー部、３２９　分割フレーム分解部、３３０　フレーム合成部。
【図１】
2004040434.tif 000003
【図２】
2004040434.tif 000004
【図３】
2004040434.tif 000005
【図４】
2004040434.tif 000006
【図５】
2004040434.tif 000007
【図６】
2004040434.tif 000008
【図７】
2004040434.tif 000009